(57)【要約】【課題】本発明は、ゴルフストロークトレーニングデバイスを提供する。【解決手段】ベースであって、該ベースは第１のセクションおよび第２のセクションを備えている、ベースと、該ベースの該第１のセクションおよび該第２のセクションのエッジの相当な部分に沿って該ベースに連結された垂直ガイドであって、該垂直ガイドは該ベースに実質的に垂直である、ガイドとを備え、該第１のセクションはアークを備え、該第２のセクションは実質的に直線のエッジを備え、該ベースの該第１のセクションおよび該第２のセクションに連結された該垂直ガイドは、ゴルフパッティングストローク中にゴルフパターヘッドのヒールの受け入れおよび誘導のための実質的に連続した経路を形成する、ゴルフストロークトレーニングデバイス。【選択図】図１
2010017534.tif 000002
【特許請求の範囲】
【請求項１】
ベースであって、該ベースは第１のセクションおよび第２のセクションを備えている、ベースと、
該ベースの該第１のセクションおよび該第２のセクションのエッジの相当な部分に沿って該ベースに連結された垂直ガイドであって、該垂直ガイドは該ベースに実質的に垂直である、ガイドと
を備え、
該第１のセクションはアークを備え、
該第２のセクションは実質的に直線のエッジを備え、
該ベースの該第１のセクションおよび該第２のセクションに連結された該垂直ガイドは、ゴルフパッティングストローク中にゴルフパターヘッドのヒールの受け入れおよび誘導のための実質的に連続した経路を形成する、ゴルフストロークトレーニングデバイス。
【請求項２】
前記垂直ガイドはおおよその中点において最小の高さを備え、該垂直ガイドは前記デバイスの第１の端部および該デバイスの第２の端部において該デバイスの該おおよその中点における高さよりも大きな高さを備え、実質的に連続したアークは該デバイスの該第１の端部から該おおよその中点を通って該デバイスの第２の端部に延びる該垂直ガイドによって形成される、請求項１に記載のゴルフストロークトレーニングデバイス。
【請求項３】
前記デバイスの前記第１の端部における前記垂直ガイドの高さは、該デバイスの前記第２の端部における該垂直ガイドの高さより大きい、請求項２に記載のゴルフストロークトレーニングデバイス。
【請求項４】
前記デバイスの前記第２の端部における前記垂直ガイドの高さは、該デバイスの前記第１の端部の高さより大きい、請求項２に記載のゴルフストロークトレーニングデバイス。
【請求項５】
前記最小の高さは約３ｃｍであり、前記第１の端部点における高さは約１０ｃｍであり、前記第２の端部点における高さは約１４ｃｍである、請求項２に記載のゴルフストロークトレーニングデバイス。
【請求項６】
前記ベースにおける複数の穴であって、該複数の穴は前記トレーニングデバイスを表面に固定する１つ以上の固定デバイスを受ける、複数の穴を備えている、請求項１に記載のゴルフストロークトレーニングデバイス。
【請求項７】
前記垂直ガイドは、前記アークを備えている前記ベースの側面に、該ベースのエッジの相当な部分に沿って該ベースに連結されている、請求項１に記載のゴルフストロークトレーニングデバイス。
【請求項８】
前記第１のセクションは、前記パッティングストロークのバックストロークの地点にゴルフボールのねらいをつける該パッティングストロークの位置に関連する、請求項１に記載のゴルフストロークトレーニングデバイス。
【請求項９】
前記第２のセクションは、前記パッティングストロークのスルーストロークの地点にゴルフボールのねらいをつける該パッティングストロークの位置に関連する、請求項１に記載のゴルフストロークトレーニングデバイス。
【請求項１０】
前記アークは、前記ベースのおおよその中点における約８ｃｍのベース幅と、前記デバイスの第１の端部における約３ｃｍのベース幅とによって形成される、請求項１に記載のゴルフストロークトレーニングデバイス。
【請求項１１】
前記ベースは約９５センチメートルの長さである、請求項１０に記載のゴルフストロークトレーニングデバイス。
【請求項１２】
前記アークは、前記ベースのおおよその中点における約７ｃｍのベース幅と、前記デバイスの第１の端部における約５ｃｍのベース幅とによって形成される、請求項１に記載のゴルフストロークトレーニングデバイス。
【請求項１３】
前記ベースは約６０センチメートルの長さである、請求項１２に記載のゴルフストロークトレーニングデバイス。
【請求項１４】
ベースであって、該ベースは第１のセクションおよび第２のセクションを備えている、ベースと、
該ベースの該第１のセクションおよび該第２のセクションのエッジの相当な部分に沿って該ベースに連結された垂直ガイドであって、該垂直ガイドは該ベースに実質的に垂直である、ガイドと
を備え、
該第１のセクションはアークを備え、
該第２のセクションは実質的に直線のエッジを備え、
該垂直ガイドは、該第１のセクションと該第２のセクションとの間の地点において最小の高さを備え、
実質的に連続したアークは、該第１のセクションから該第２のセクションまでずっと延びる該垂直ガイドによって形成され、
該ベースの該第１のセクションおよび該第２のセクションに連結された該垂直ガイドは、ゴルフパッティングストローク中にゴルフパターヘッドのヒールの受け入れおよび誘導のための実質的に連続した経路を形成する、ゴルフストロークトレーニングデバイス。
【請求項１５】
前記第１のセクションは、前記デバイスのおおよその中点から該デバイスの第１の端部に延び、
前記第２のセクションは、該デバイスの該おおよその中点から該デバイスの第２の端部に延びる、請求項１４に記載のゴルフストロークトレーニングデバイス。
【請求項１６】
前記第１のセクションは、前記デバイスのおおよその中点から該デバイスの第１の端部に延び、
前記第２のセクションは、該デバイスの該おおよその中点から該デバイスの第２の端部に延びる、請求項１に記載のゴルフストロークトレーニングデバイス。
【請求項１７】
ベースであって、該ベースは第１のセクションおよび第２のセクションを備えている、ベースと、
該ベースに連結された垂直ガイドであって、該垂直ガイドは該ベースに実質的に垂直である、ガイドと
を備え、
該第１のセクションは第１のアークを備え、
該第２のセクションは実質的に直線のエッジおよび第２のアークを備えている、ゴルフストロークトレーニングデバイス。
【請求項１８】
前記垂直ガイドはおおよその中点において最小の高さを備え、該垂直ガイドは前記デバイスの第１の端部および該デバイスの第２の端部において該デバイスの該おおよその中点における高さよりも大きな高さを備え、実質的に連続したアークは該デバイスの該第１の端部から該おおよその中点を通って該デバイスの第２の端部に延びる該垂直ガイドによって形成される、請求項１７に記載のゴルフストロークトレーニングデバイス。
【請求項１９】
前記デバイスの前記第１の端部における前記垂直ガイドの高さは、該デバイスの前記第２の端部における該垂直ガイドの高さより大きい、請求項１８に記載のゴルフストロークトレーニングデバイス。
【請求項２０】
前記デバイスの前記第２の端部における前記垂直ガイドの高さは、該デバイスの前記第１の端部の高さより大きい、請求項１８に記載のゴルフストロークトレーニングデバイス。
【請求項２１】
前記垂直ガイドは、前記第１のアークおよび前記第２のアークを備えている前記ベースの側面に、該ベースのエッジに沿って該ベースに連結されている、請求項１７に記載のゴルフストロークトレーニングデバイス。
【請求項２２】
ベースであって、該ベースは第１のセクションおよび第２のセクションを備えている、ベースと、
該ベースに連結された垂直ガイドであって、該垂直ガイドは該ベースに実質的に垂直である、ガイドと
を備え、
該第１のセクションは第１のアークを備え、
該第２のセクションは実質的に直線のエッジおよび第２のアークを備え、
該垂直ガイドは、該第１のセクションと該第２のセクションとの間の地点において最小の高さを備え、
実質的に連続したアークは、該第１のセクションから該第２のセクションまでずっと延びる該垂直ガイドによって形成される、ゴルフストロークトレーニングデバイス。
【請求項２３】
前記第１のセクションは、前記デバイスのおおよその中点から該デバイスの第１の端部に延び、
前記第２のセクションは、該デバイスの該おおよその中点から該デバイスの第２の端部に延びる、請求項２２に記載のゴルフストロークトレーニングデバイス。
【請求項２４】
前記第１のセクションは、前記デバイスのおおよその中点から該デバイスの第１の端部に延び、
前記第２のセクションは、該デバイスの該おおよその中点から該デバイスの第２の端部に延びる、請求項１７に記載のゴルフストロークトレーニングデバイス。
【発明の詳細な説明】
【技術分野】
【０００１】
様々な実施形態は、ゴルフトレーニング装置に関し、そして限定するものではないが、一実施形態においてゴルフストロークトレーニングデバイスに関する。
【背景技術】
【０００２】
定期的に市場に売りに出される新しいパター設計によって証明されるように、ゴルファーは常に自分のパッティングを向上させるように努めており、典型的なゴルファーは、一シーズン中または一生涯に多くの種々のパターを試す。しかしながら、入手可能な多数のパターおよび他のデバイスにもかかわらず、当該技術は、ゴルファーのパッティング技量を増加させるデバイスをなおも必要としている。
【発明の概要】
【課題を解決するための手段】
【０００３】
例えば、本発明は以下の項目を提供する。
【０００４】
（項目１）
ベースであって、該ベースは第１のセクションおよび第２のセクションを備えている、ベースと、
該ベースの該第１のセクションおよび該第２のセクションのエッジの相当な部分に沿って該ベースに連結された垂直ガイドであって、該垂直ガイドは該ベースに実質的に垂直である、ガイドと
を備え、
該第１のセクションはアークを備え、
該第２のセクションは実質的に直線のエッジを備え、
該ベースの該第１のセクションおよび該第２のセクションに連結された該垂直ガイドは、ゴルフパッティングストローク中にゴルフパターヘッドのヒールの受け入れおよび誘導のための実質的に連続した経路を形成する、ゴルフストロークトレーニングデバイス。
【０００５】
（項目２）
上記垂直ガイドはおおよその中点において最小の高さを備え、該垂直ガイドは上記デバイスの第１の端部および該デバイスの第２の端部において該デバイスの該おおよその中点における高さよりも大きな高さを備え、実質的に連続したアークは該デバイスの該第１の端部から該おおよその中点を通って該デバイスの第２の端部に延びる該垂直ガイドによって形成される、上記項目のいずれか１項に記載のゴルフストロークトレーニングデバイス。
【０００６】
（項目３）
上記デバイスの上記第１の端部における上記垂直ガイドの高さは、該デバイスの上記第２の端部における該垂直ガイドの高さより大きい、上記項目のいずれか１項に記載のゴルフストロークトレーニングデバイス。
【０００７】
（項目４）
上記デバイスの上記第２の端部における上記垂直ガイドの高さは、該デバイスの上記第１の端部の高さより大きい、上記項目のいずれか１項に記載のゴルフストロークトレーニングデバイス。
【０００８】
（項目５）
上記最小の高さは約３ｃｍであり、上記第１の端部点における高さは約１０ｃｍであり、上記第２の端部点における高さは約１４ｃｍである、上記項目のいずれか１項に記載のゴルフストロークトレーニングデバイス。
【０００９】
（項目６）
上記ベースにおける複数の穴であって、該複数の穴は上記トレーニングデバイスを表面に固定する１つ以上の固定デバイスを受ける、複数の穴を備えている、上記項目のいずれか１項に記載のゴルフストロークトレーニングデバイス。
【００１０】
（項目７）
上記垂直ガイドは、上記アークを備えている上記ベースの側面に、該ベースのエッジの相当な部分に沿って該ベースに連結されている、上記項目のいずれか１項に記載のゴルフストロークトレーニングデバイス。
【００１１】
（項目８）
上記第１のセクションは、上記パッティングストロークのバックストロークの地点にゴルフボールのねらいをつける該パッティングストロークの位置に関連する、上記項目のいずれか１項に記載のゴルフストロークトレーニングデバイス。
【００１２】
（項目９）
上記第２のセクションは、上記パッティングストロークのスルーストロークの地点にゴルフボールのねらいをつける該パッティングストロークの位置に関連する、上記項目のいずれか１項に記載のゴルフストロークトレーニングデバイス。
【００１３】
（項目１０）
上記アークは、上記ベースのおおよその中点における約８ｃｍのベース幅と、上記デバイスの第１の端部における約３ｃｍのベース幅とによって形成される、上記項目のいずれか１項に記載のゴルフストロークトレーニングデバイス。
【００１４】
（項目１１）
上記ベースは約９５センチメートルの長さである、上記項目のいずれか１項に記載のゴルフストロークトレーニングデバイス。
【００１５】
（項目１２）
上記アークは、上記ベースのおおよその中点における約７ｃｍのベース幅と、上記デバイスの第１の端部における約５ｃｍのベース幅とによって形成される、上記項目のいずれか１項に記載のゴルフストロークトレーニングデバイス。
【００１６】
（項目１３）
上記ベースは約６０センチメートルの長さである、上記項目のいずれか１項に記載のゴルフストロークトレーニングデバイス。
【００１７】
（項目１４）
ベースであって、該ベースは第１のセクションおよび第２のセクションを備えている、ベースと、
該ベースの該第１のセクションおよび該第２のセクションのエッジの相当な部分に沿って該ベースに連結された垂直ガイドであって、該垂直ガイドは該ベースに実質的に垂直である、ガイドと
を備え、
該第１のセクションはアークを備え、
該第２のセクションは実質的に直線のエッジを備え、
該垂直ガイドは、該第１のセクションと該第２のセクションとの間の地点において最小の高さを備え、
実質的に連続したアークは、該第１のセクションから該第２のセクションまでずっと延びる該垂直ガイドによって形成され、
該ベースの該第１のセクションおよび該第２のセクションに連結された該垂直ガイドは、ゴルフパッティングストローク中にゴルフパターヘッドのヒールの受け入れおよび誘導のための実質的に連続した経路を形成する、ゴルフストロークトレーニングデバイス。
【００１８】
（項目１５）
上記第１のセクションは、上記デバイスのおおよその中点から該デバイスの第１の端部に延び、
上記第２のセクションは、該デバイスの該おおよその中点から該デバイスの第２の端部に延びる、上記項目のいずれか１項に記載のゴルフストロークトレーニングデバイス。
【００１９】
（項目１６）
上記第１のセクションは、上記デバイスのおおよその中点から該デバイスの第１の端部に延び、
上記第２のセクションは、該デバイスの該おおよその中点から該デバイスの第２の端部に延びる、上記項目のいずれか１項に記載のゴルフストロークトレーニングデバイス。
【００２０】
（項目１７）
ベースであって、該ベースは第１のセクションおよび第２のセクションを備えている、ベースと、
該ベースに連結された垂直ガイドであって、該垂直ガイドは該ベースに実質的に垂直である、ガイドと
を備え、
該第１のセクションは第１のアークを備え、
該第２のセクションは実質的に直線のエッジおよび第２のアークを備えている、ゴルフストロークトレーニングデバイス。
【００２１】
（項目１８）
上記垂直ガイドはおおよその中点において最小の高さを備え、該垂直ガイドは上記デバイスの第１の端部および該デバイスの第２の端部において該デバイスの該おおよその中点における高さよりも大きな高さを備え、実質的に連続したアークは該デバイスの該第１の端部から該おおよその中点を通って該デバイスの第２の端部に延びる該垂直ガイドによって形成される、上記項目のいずれか１項に記載のゴルフストロークトレーニングデバイス。
【００２２】
（項目１９）
上記デバイスの上記第１の端部における上記垂直ガイドの高さは、該デバイスの上記第２の端部における該垂直ガイドの高さより大きい、上記項目のいずれか１項に記載のゴルフストロークトレーニングデバイス。
【００２３】
（項目２０）
上記デバイスの上記第２の端部における上記垂直ガイドの高さは、該デバイスの上記第１の端部の高さより大きい、上記項目のいずれか１項に記載のゴルフストロークトレーニングデバイス。
【００２４】
（項目２１）
上記垂直ガイドは、上記第１のアークおよび上記第２のアークを備えている上記ベースの側面に、該ベースのエッジに沿って該ベースに連結されている、上記項目のいずれか１項に記載のゴルフストロークトレーニングデバイス。
【００２５】
（項目２２）
ベースであって、該ベースは第１のセクションおよび第２のセクションを備えている、ベースと、
該ベースに連結された垂直ガイドであって、該垂直ガイドは該ベースに実質的に垂直である、ガイドと
を備え、
該第１のセクションは第１のアークを備え、
該第２のセクションは実質的に直線のエッジおよび第２のアークを備え、
該垂直ガイドは、該第１のセクションと該第２のセクションとの間の地点において最小の高さを備え、
実質的に連続したアークは、該第１のセクションから該第２のセクションまでずっと延びる該垂直ガイドによって形成される、ゴルフストロークトレーニングデバイス。
【００２６】
（項目２３）
上記第１のセクションは、上記デバイスのおおよその中点から該デバイスの第１の端部に延び、
上記第２のセクションは、該デバイスの該おおよその中点から該デバイスの第２の端部に延びる、上記項目のいずれか１項に記載のゴルフストロークトレーニングデバイス。
【００２７】
（項目２４）
上記第１のセクションは、上記デバイスのおおよその中点から該デバイスの第１の端部に延び、
上記第２のセクションは、該デバイスの該おおよその中点から該デバイスの第２の端部に延びる、上記項目のいずれか１項に記載のゴルフストロークトレーニングデバイス。
【図面の簡単な説明】
【００２８】
【図１】図１は、ゴルフストロークトレーニングデバイスの例示の実施形態の斜視図である。
【図２】図２は、ゴルフストロークトレーニングデバイスの例示の実施形態の平面図である。
【図３】図３は、ゴルフパッティングストロークの方法のフローチャートである。
【図４】図４は、ゴルフストロークトレーニングデバイスの例示の実施形態の平面図である。
【図５】図５は、ゴルフパッティングストロークの方法のフローチャートである。
【発明を実施するための形態】
【００２９】
（詳細な説明）
以下の詳細な説明において、本発明が実行され得る特定の実施形態を例示として示す添付の図面に参照がなされる。これらの実施形態は、当業者が本発明を実行することを可能にするほど十分に詳細に説明される。本発明の様々な実施形態が、異なっていても、必ずしも互いに排他的ではないことは理解されるべきである。さらに、一実施形態に関連して本明細書に説明される特定の特徴、構造、または特性は、本発明の範囲から逸脱することなく他の実施形態内でインプリメントされ得る。さらに各開示された実施形態内の個々の要素の位置または配置が本発明の範囲から逸脱することなく修正され得ることは理解されるべきである。従って、以下の詳細な説明は、限定する意味でとらえられるべきではなく、本発明の範囲は、特許請求の範囲が権利のある均等物の全範囲と共に、適切に解釈された添付の特許請求の範囲によってのみ定義される。図面において、同様な数字はいくつかの図の全部において同じかまたは類似の機能性を参照する。
【００３０】
パッティングストロークを含むゴルフスウィングにおいて、アドレス位置、バックストロークおよびスルーストロークがある。アドレス位置は、クラブが休止しているときにゴルファーのスタンスのおおよその中心点にある。バックストロークは、アドレス地点から右ききゴルファーの右手側の方に後方にクラブを動かすとき、または左ききゴルファーの左手側の方に後方にクラブを動かすときのゴルフストロークの一部分である。スルーストロークは、バックストロークの最も遠い地点からアドレス地点を通る、右ききのゴルファーの左手側前方へのスウィングおよび左ききゴルファーの右手側前方へのスウィングの部分である。アークストローク経路に沿ったインサイドは、ゴルファーの体の方に向かって湾曲するアークに沿って後ろかまたは前方になされるバックストロークまたはスルーストロークのいずれかを表す。
【００３１】
パッティング方法および技術に関して多くの理論がある。１つの理論は、ゴルファーが、バックストロークにおいてパターをまっすぐに後に引き、次いでスルーストロークにおいて目標の方にまっすぐに振りきることである。この理論は、実行されたとき、ストローク中にずっと目標に実質的に一直線である直線に従うパターヘッドという結果となる。別の技術は、バックストロークにおいてアークに沿うインサイドを、そしてスルーストロークにおいてアークに沿うインサイドを用いる。この例においてパターヘッドが進む経路は、おおよそアークである。多くの人は、この経路が最も自然なパッティングストロークであると考える。なぜならこの経路は可能性としては、ゴルファーがフルゴルフスウィングにおいて作るアークに類似しているからである。
【００３２】
本主題の発明者は、新しいパッティングストロークと、ゴルファーがこれらの新しいパッティングストロークを習得し、練習し、熟達することを助けるための装置を開発した。新しいパッティングストロークは、アークバックストロークに沿うインサイドと、スルーストロークに対する目標への線に沿う直線とを含み、アークバックストロークに沿うインサイドと、スルーストロークの第１の部分に対する目標の方への線に沿う直線と、スルーストロークの第２の部分に対するアークに沿うインサイドとを含む。
【００３３】
図１、図２および図４は、ゴルフストロークトレーニングデバイスの例示の実施形態を示す。デバイス１００は、ベース１１０および垂直ガイド１２０を含む。垂直ガイド１２０は、ベース１１０に実質的に垂直である。ベース１１０および垂直ガイド１２０は一体化した構造であり得る。ベース１１０および垂直ガイド１２０はまた、留め具、溶接、はんだ、または当該技術において公知の任意の手段によって一緒に連結される別個の部品であり得る。デバイス１００は、第１のセクション１３０（１３０Ａおよび１３０Ｂを含む）および第２のセクション１４０（１４０Ａおよび１４０Ｂを含む）を含む。第１のセクション１３０は、図２に示されるように上から見たとき、デバイス１００のおおよその中点１５０からデバイス１００の端部点１６０に延びるアークを形成する。第２のセクション１４０は、図２に示めされるように上から見たとき、デバイス１００のおおよその中点１５０からデバイス１００の第２の端部点１７０に延びる実質的に直線のエッジを形成する。別の実施形態において、図４に示されるように、第２のセクション１４０は、上から見たとき、第２のセクション１４０に沿っておおよその中点１５０から地点１５５に、次いで地点１５５から第２の端部点１７０に延びる実質的に直線のエッジを形成し、セクション１４０は、アークラインに沿ってインサイドに沿っていく。おおよその中点１５０から地点１５５までのセクションの長さは、わずか数センチメートルから３０センチメートルまで変化し得る。図１に示されるように側面図または斜視図から見たとき、おおよその中点１５０における垂直ガイド１２０の高さは最小であり、垂直ガイド１２０の高さは、セクション１３０の端部点１６０においてより大きく、垂直ガイド１２０の高さはセクション１４０の端部点１７０において最大であることが見られ得る。別の実施形態において、垂直ガイド１２０の高さは、端部点１６０において最大である。垂直ガイド１２０の長さに沿って垂直ガイド１２０の高さを変化させることは、本明細書において後に説明されるように、パッティングストロークに影響を及ぼす。ベース１１０は、デバイス１００を表面に取り付け得る留め具を受ける穴１８０を含む。デバイス１００は、裏庭、居間の床、またはパッティンググリーンを含む任意の表面に取り付けられ得る。
【００３４】
デバイス１００の特定の使用法において、おおよその中点１５０から端部点１６０に延びるアーク（図２におけるように上から見たとき）は、アークパッティングバックストロークに沿ったインサイドを表し、ゴルファーは、後ろにかつ自分の方にパターを引き、それによってアークを形成する。おおよその中点１５０から第２の端部点１７０までの直線（図２にさらに示されるように）は、パッティングストロークのスルーストロークにおける目標の方への直線のフォロースルーを表す。垂直ガイド１２０の高さは、アークバックストロークおよびスルーストロークの直線に沿った新しいインサイドにおけるクラブヘッドの垂直経路を表し、垂直ガイド１２０はこの経路を通ってクラブヘッドを誘導する。
【００３５】
デバイス１００の別の使用法において、おおよその中点１５０から端部点１６０まで延びるアーク（図４におけるように上から見たとき）は、アークパッティングバックストロークに沿ったインサイドを表し、ゴルファーは、後ろにかつ自分の方にパターを引き、それによってアークを形成する。おおよその中点１５０から地点１５５までの直線（図４にさらに示されるように）は、パッティングストロークのスルーストロークの第１の部分における目標の方への直線のフォロースルーを表す。次いで地点１５５を通過した後に、デバイス１００は、アーク経路に沿うインサイドに沿って第２の端部点１７０へゴルファーのパッティングストロークを誘導する。垂直ガイド１２０の高さは、アークバックストローク、スルーストロークの第１の部分の直線、およびスルーストロークのアークの第２の部分に沿った新しいインサイドにおけるクラブヘッドの垂直経路を表しかつ誘導する。
【００３６】
デバイス１００は、正しいゴルフストローク、特に正しいパッティングストロークを実行するようにゴルファーを訓練することに関連して用いられ得る。例えば、ゴルファーのパッティングストロークを訓練するためにデバイス１００を用いるために、デバイス１００は、パッティンググリーン、その人の居間の床、または任意の他の適切な表面に取り付けられ得る。典型的なパッティング表面が用いられるとき、ゴルフティーを含む任意の単純な留め具がデバイス１００のベース１１０における穴１８０を通ってパッティング表面の中に挿入され得る。デバイス１００をパッティング表面に固定した後に、図２および図４における足１９０の輪郭によって示されるように、ゴルファーはデバイスのベース側に立つ。ゴルファーは、パターを握り、それをアドレス位置の中に置くと、パターのヒールはおおよその中点１５０において垂直ガイド１２０に接触する。次いで、打つべきボールが有るにせよまたは無いにせよ、ゴルファーは、パターのヒールが第１のセクション１３０に接触したままとなるようにクラブを後ろに引き、バックストロークの最も遠い地点に達した後に、パターヘッドを前方に動かし、おおよその中点１５０に向かって直線のエッジセクション１４０を通って、第２の端部点１７０に戻す。図４の実施形態において、ゴルファーは再びパターを握り、それをアドレス位置に置き、パターのヒールは、おおよその中点１５０において垂直ガイド１２０と接触している。次いで、打つべきボールが有るにせよまたは無いにせよ、ゴルファーは、パターのヒールが第１のセクション１３０に接触したままとなるようにクラブを後ろに引き、バックストロークの最も遠い地点に達した後に、パターヘッドを前方に動かし、おおよその中点１５０に向かって直線のエッジセクション１４０を通って、セクション１４０における地点１５５に、次いで地点１５５からインサイドアークに沿って第２の端部点１７０に戻す。クラブのヒールを第１のセクションに接触し続けることによって、ゴルファーはアークバックストロークに沿ったインサイドを習得する。クラブのヒールを第２のセクション１４０に接触し続けることによって、目標スルーストロークの方への直線が習得される。図４の実施形態において、目標の方への直線、それに続くアークスルーストロークに沿ったインサイドが習得される。これらのパッティングストロークは、よりまっすぐでより正確なパットという結果になる。
【００３７】
おおよその中点１５０、セクション１３０の端部点１６０、およびセクション１４０の端部点１７０における垂直ガイド１２０の高さは、新しいパッティングストロークの垂直経路を追従するようにゴルファーを訓練させる。新しいパッティングストロークの垂直の経路は、ボールのアドレス（おおよその中点１５０）において開始し、図１における地点Ｂまでバックストローク中にインサイドアークに沿って上昇し、おおよその中点１５０までインサイドアークに沿って下がるように戻り、セクション１４０の端部点１７０における地点Ａまでスルーストロークにおけるインサイドアークに沿って徐々に上昇する。上記のように、端部点１６０および１７０における垂直ガイド１２０の高さは変化し得、該垂直ガイドの高さは各ゴルファーの特定のニーズに合うようにパッティングストロークを変更するために用いられ得る。
【００３８】
図３および図５は、ゴルフパッティングストロークのこれらの方法におけるステップを示すフローチャートである。
【００３９】
デバイス１００は、標準長パター、ベリー（ｂｅｌｌｙ）パター、およびロングパターを含む事実上あらゆる型のパターと、ブレードパターと、マレット（ｍａｌｌｅｔ）パターと、アンサ（Ａｎｓｅｒ）様のパターと共に、そしてスチール、ポリマインサート、グルーブ（ｇｒｏｏｖｅ）およびバンプ（ｂｕｍｐ）を含む多くのパターフェースと共に用いられ得る。デバイス１００は、オーバラップ、リバースオーバーラップ、クロスハンドおよびクロー（ｃｌａｗ）グリップを含む、ゴルファーの特定のパッティンググリップに関係なく用いられ得る。
【００４０】
（例示的な実施形態）
例１において、ゴルフストロークトレーニングデバイスは、ベースであって、ベースは第１のセクションおよび第２のセクションを備えている、べースと、ベースに連結された垂直ガイドとを含む。第１のセクションは第１のアークを備え、第２のセクションは実質的に直線のエッジと、第２のアークとを備えている。
【００４１】
例２において、例１のゴルフストロークトレーニングデバイスは、オプションで、ベースのおおよその中点において最小の高さと、デバイスの第１の端部およびデバイスの第２の端部においてデバイスのおおよその中点における高さよりも大きな高さと、デバイスの第１の端部からおおよその中点を通ってデバイスの第２の端部に延びる垂直ガイドによって形成される実質的に連続したアークとを有する垂直ガイドを含む。
【００４２】
例３において、例１〜２のゴルフストロークトレーニングデバイスは、オプションでデバイスを含み、該デバイスの第１の端部における垂直ガイドの高さは、デバイスの第２の端部における垂直ガイドの高さより大きい。
【００４３】
例４において、例１〜３のゴルフストロークトレーニングデバイスは、オプションでデバイスを含み、該デバイスの第２の端部における垂直ガイドの高さは、デバイスの第１の端部における垂直ガイドの高さより大きい。
【００４４】
例５において、例１〜４のゴルフストロークトレーニングデバイスは、オプションでデバイスを含み、最小の高さは約３ｃｍであり、第１の端部点における高さは約１０ｃｍであり、第２の端部点における高さは約１４ｃｍである。
【００４５】
例６において、例１〜５のゴルフストロークトレーニングデバイスは、オプションでベースにおいて複数の穴を含むデバイスを含み、該複数の穴はトレーニングデバイスを表面に固定する１つ以上の固定デバイスを受ける。
【００４６】
例７において、例１〜６のゴルフストロークトレーニングデバイスは、オプションでデバイスを含み、垂直ガイドは、第１のアークおよび第２のアークを備えているベースの側面にベースのエッジに沿ってベースに連結される。
【００４７】
例８において、例１〜７のゴルフストロークトレーニングデバイスは、オプションでデバイスを含み、第１のセクションは、パッティングストロークのバックストロークの地点にゴルフボールのねらいをつけるパッティングストロークの位置に関連する。
【００４８】
例９において、例１〜８のゴルフストロークトレーニングデバイスは、オプションでデバイスを含み、第２のセクションは、パッティングストロークのスルーストロークの地点にゴルフボールのねらいをつけるパッティングストロークの位置に関連する。
【００４９】
例１０において、例１〜９のゴルフストロークトレーニングデバイスは、オプションでデバイスを含み、垂直ガイドは、所望の経路に沿ってパターヘッドのヒールを受けかつ誘導するように構成される。
【００５０】
例１１において、例１〜１０のゴルフストロークトレーニングデバイスは、オプションでデバイスを含み、第１のアークは、ベースのおおよその中点における約８ｃｍのベース幅と、デバイスの第１の端部における約３ｃｍのベース幅とによって形成され、第２のアークは、ベースのおおよその中点における約８ｃｍのベース幅と、デバイスの第２の端部における約３ｃｍのベース幅とによって形成される。
【００５１】
例１２において、例１〜１１のゴルフストロークトレーニングデバイスは、オプションでデバイスを含み、ベースは約９５センチメートルの長さである。
【００５２】
例１３において、例１〜１２のゴルフストロークトレーニングデバイスは、オプションでデバイスを含み、第１のアークは、ベースのおおよその中点における約７ｃｍのベース幅と、デバイスの第１の端部における約５ｃｍのベース幅とによって形成され、第２のアークは、ベースのおおよその中点における約７ｃｍのベース幅と、デバイスの第２の端部における約５ｃｍのベース幅とによって形成される。
【００５３】
例１４において、例１〜１３のゴルフストロークトレーニングデバイスは、オプションでデバイスを含み、ベースは約６０センチメートルの長さである。
【００５４】
例１５において、ゴルフパッティングストロークを教示する方法は、アドレス位置において開始することと、第１のインサイドアークに沿ってアドレス位置から離れるようにバックストロークを誘導することと、インサイドアークに沿ってアドレス位置に戻ることと、目標の方への直線に沿って次いで第２のインサイドアークに沿ってスルーストロークを誘導することとを含む。
【００５５】
例１６において、例１５の方法は、オプションでゴルフパッティングストロークの方法を教示するデバイスを用いることを含み、デバイスは、ベースであって、ベースは第１のセクションおよび第２のセクションを備えている、べースと、ベースに連結された垂直ガイドであって、垂直ガイドは実質的にベースに対して垂直である、垂直ガイドとを備え、
第１のセクションは、デバイスのおおよその中点からデバイス第１の端部に延びるアークを備え、第２のセクションは、デバイスのおおよその中点からデバイスの第２のセクションの地点に延びる実質的に直線のエッジを備え、第２のセクションの地点からデバイスの第２の端部へのアークに沿ったインサイドを備えている。
【００５６】
例１７において、例１５〜１６の方法は、オプションで垂直経路に沿ってゴルフパッティングストロークを誘導することを含み、垂直の経路は、アドレス位置において最小の高さを備え、第１のアークに沿ってバックストロークの最も遠い地点における第１の高さに向かって上昇し、第１のアークに沿って第１のアドレス位置に向かって戻り、第２のアークに沿ってスルーストロークを通ってスルーストロークの最も遠い地点における第２の高さに向かって上昇する。
【００５７】
例１８において、例１５〜１７の方法は、オプションで、第１の高さは第２の高さより大きいという特徴を含む。
【００５８】
例１９において、例１５〜１８の方法は、オプションで、第２の高さは第１の高さより大きいという特徴を含む。
【００５９】
例２０において、ゴルフストロークトレーニングデバイスは、ベースであって、ベースは第１のセクションおよび第２のセクションを備えている、べースと、ベースに連結された垂直ガイドとを含み、垂直ガイドは実質的にベースに対して垂直であり、第１のセクションは、デバイスのおおよその中点からデバイス第１の端部に延びる第１のアークを備え、第２のセクションは、デバイスのおおよその中点から第２のセクションの地点に延びる実質的に直線のエッジを備え、第２のセクションの地点からデバイスの第２の端部にのびるアークに沿ったインサイドを備え、垂直のガイドは、おおよその中点において最小の高さを備え、ガイドは、デバイスの第１の端部およびデバイスの第２の端部において、デバイスのおおよその中点における高さよりも大きい高さを含み、実質的に連続したアークは、デバイスの第１の端部からおおよその中点を通ってデバイスの第２の端部に延びる垂直ガイドによって形成される。
例２１において、例２０のゴルフストロークトレーニングデバイスは、オプションでデバイスを含み、第１のセクションはデバイスのおおよその中点からデバイスの第１の端部に延び、第２のセクションはデバイスのおおよその中点からデバイスの第２の端部に延びる。
例２２において、例１〜１４のゴルフストロークトレーニングデバイスは、オプションでデバイスを含み、第１のセクションはデバイスのおおよその中点からデバイスの第１の端部に延び、第２のセクションはデバイスのおおよその中点からデバイスの第２の端部に延びる。
例２３において、例１〜１４のゴルフストロークトレーニングデバイスは、オプションでデバイスを含み、実質的に直線のエッジは、約２センチメートルから約３０センチメートルまでの範囲内の長さを備えている。
摘要は、３７  Ｃ．Ｆ．Ｒ．§１．７２（ｂ）に準拠するように提供され、読者が技術的な開示の性質および要旨を速やかに確認することを可能にする。摘要は、それが特許請求の範囲の範囲もしくは意味を解釈または限定するためには用いられないという理解をもって提出される。
実施形態の前述の説明において、様々な特徴は開示を合理化する目的のために単一の実施形態に一緒にまとめられる。開示のこの方法は、請求される実施形態が各請求項において明確に説明されている特長よりも多くの特徴を有することを示すものとして解釈されるべきではない。それどころか、以下の特許請求の範囲が示すように、発明の主題は、単一の開示された実施形態のすべての特徴の中にある。従って、以下の特許請求の範囲は、本明細書によって詳細の説明の中に組み込まれ、各請求項は、それ自体で別個の例示の実施形態として要求する。
（摘要）
ゴルフストロークトレーニングデバイスは、第１のセクションおよび第２のセクションを有するベースと、ベースに連結された垂直ガイドとを含む。垂直ガイドは、ベースに対して実質的に垂直である。第１のセクションは、デバイスのおおよその中点からデバイスの第１の端部に延びるアークを有し、第２のセクションは、デバイスのおおよその中点からデバイスの第２の端部に延びる実質的に直線のエッジを備えている。別の実施形態において、第２のセクションは、おおよその中点から目標およびアークに沿ったインサイドの方に延びる実質的に直線のエッジを備えている。
【図１】
2010017534.tif 000003
【図２】
2010017534.tif 000004
【図３】
2010017534.tif 000005
【図４】
2010017534.tif 000006
【図５】
2010017534.tif 000007
【外国語明細書】
2010017534000001.pdf